(57)【要約】【課題】演奏者に実際の演奏の場合と練習の演奏の場合とで違和感を与えることを抑え、かつ楽器の姿勢の安定性が向上する。【解決手段】楽器２の音孔を内包する左右に開閉可能な筐体３を有し、筐体３の外側から演奏者が右手と左手を入れて楽器２のキイを操作できる入手口を備えるリード２３を使って音を出す木管楽器用消音器１であり、筐体３は楽器２を包むように長く延び、筐体３の長手方向の一方側にリード２３を取り出すためのリード取出部１３を備え、一方の入手口と他方の入手口とを筐体３の長手方向に分けて左右に配置し、リード取出部１３と反対側に離間して入手口４０が配置される部分に対向する部分が、平坦面５ａである。【選択図】図５
2008268584.tif 000002
【特許請求の範囲】
【請求項１】
楽器の音孔を内包する左右に開閉可能な筐体を有し、
前記筐体の外側から演奏者が右手と左手を入れて前記楽器のキイを操作できる入手口を備えるリードを使って音を出す木管楽器用消音器であり、
前記筐体は前記楽器を包むように長く延び、
前記筐体の長手方向の一方側に前記リードを取り出すためのリード取出部を備え、
前記一方の入手口と他方の入手口とを前記筐体の長手方向に分けて左右に配置し、
前記リード取出部と反対側に離間して前記入手口が配置される部分に対向する部分が、平坦面であることを特徴とする木管楽器用消音器。
【請求項２】
前記リード取出部と反対側に離間して前記入手口が配置される部分が、凸面であることを特徴とする請求項１に記載の木管楽器用消音器。
【発明の詳細な説明】
【技術分野】
【０００１】
この発明は、木管楽器用消音器に関するものである。
【背景技術】
【０００２】
従来の木管楽器用消音器として、出願人は消音器内部で鳴っている大音量の音が外部に漏れ出てないようにして消音性能が向上し、しかも自然な吹奏感覚の改善、十分な水分対策を施された新しい木管楽器用消音器の提供した（特許文献１）。
【特許文献１】特開２００６−１６２７１５号公報
【発明の開示】
【発明が解決しようとする課題】
【０００３】
ところで、このような木管楽器用消音器を用いて演奏の練習を行う際には、演奏者が筐体の外側から右手と左手を内部に入れ、筐体をやや斜めにして膝の上にあてがい、楽器のキイを操作し、リードを使って音を出すが、木管楽器用消音器を用いないで実際に楽器で演奏する場合と比較して筐体を有する分楽器の姿勢が異なる。したがって、演奏者に実際の演奏の場合と練習の演奏の場合とで違和感を与えることがある。
【０００４】
また、このような木管楽器用消音器では、筐体をやや斜めにして膝の上にあてがって、演奏者が筐体の内部に右手と左手を入れて楽器のキイを操作し、演奏時に筐体の姿勢が不安定な状態になるから極力動かないように安定させる必要がある。
【０００５】
この発明は、かかる点に鑑みなされたもので、演奏者に実際の演奏の場合と練習の演奏の場合とで違和感を与えることを抑え、かつ楽器の姿勢の安定性が向上する木管楽器用消音器の提供である。
【課題を解決するための手段】
【０００６】
前記課題を解決し、かつ目的を達成するために、この発明は、以下のように構成した。
【０００７】
請求項１に記載の発明は、楽器の音孔を内包する左右に開閉可能な筐体を有し、
前記筐体の外側から演奏者が右手と左手を入れて前記楽器のキイを操作できる入手口を備えるリードを使って音を出す木管楽器用消音器であり、
前記筐体は前記楽器を包むように長く延び、
前記筐体の長手方向の一方側に前記リードを取り出すためのリード取出部を備え、
前記一方の入手口と他方の入手口とを前記筐体の長手方向に分けて左右に配置し、
前記リード取出部と反対側に離間して前記入手口が配置される部分に対向する部分が、平坦面であることを特徴とする木管楽器用消音器である。
【０００８】
請求項２に記載の発明は、前記リード取出部と反対側に離間して前記入手口が配置される部分が、凸面であることを特徴とする請求項１に記載の木管楽器用消音器である。
【発明の効果】
【０００９】
前記構成により、この発明は、以下のような効果を有する。
【００１０】
請求項１に記載の発明では、筐体をやや斜めにして膝の上にあてがうが、この筐体の膝の上にあてがう部分が平坦面であるから、筐体が斜めになることを軽減でき、練習の演奏の楽器の姿勢を実際の演奏の楽器の姿勢に近づけることができ、演奏者に実際の演奏の場合と練習の演奏の場合とで違和感を与えることを抑えることが可能になる。また、筐体の膝の上にあてがう部分が平坦面であるから、演奏の練習を行う際には、筐体をやや斜めにして膝の上にあてがっても筐体の姿勢が安定する。
【００１１】
請求項２に記載の発明では、リード取出部と反対側に離間して入手口が配置される部分が、凸面であり、筐体の内部空間の容積を確保することができる。
【発明を実施するための最良の形態】
【００１２】
以下、この発明の木管楽器用消音器の実施の形態について説明する。この発明の実施の形態は、発明の最も好ましい形態を示すものであり、この発明はこれに限定されない。
【００１３】
図１乃至図７はこの発明の木管楽器用消音器を示すものであり、図１は斜視図、図２は正面図、図３は背面図、図４は右側面図、図５は左側面図、図６は平面図、図７は底面図である。
【００１４】
木管楽器用消音器１は、楽器２の音孔を内包する左右に開閉可能な筐体３を有し、この筐体３は右シェル４と左シェル５により構成されている。右シェル４と左シェル５の開口部の一部には蝶板１０が２個設けられ、また一部にはパッチン錠１１が５個設けられている。さらに、左シェル５の開口部には、前後にストラップリング１２がそれぞれ設けられている。
【００１５】
右シェル４と左シェル５は楽器２を内部空間に保持可能であり、パッチン錠１１を開錠することで蝶板１０を支点にして開くことができ、楽器２としてテナーサクソフォン２０を収納して閉じてパッチン錠１１を施錠することで内部空間に保持する。
【００１６】
右シェル４と左シェル５にはネックパッキン１３が設けられ、テナーサクソフォン２０のリード２１がリード取出部１３としてのネックパッキンから突出する。このリード２１にはリガチャー２２が設けられ、さらにリガチャー２２にはマウスピース２３が設けられている。テナーサクソフォン２０には音孔が設けられている。
【００１７】
筐体３は演奏時の姿勢において鉛直方向において、右シェル４には下方位置に入手口４０を備え、左シェル５には上方位置に入手口４１を備え、筐体３の外側から演奏者が右手と左手を入れて楽器２のキイを操作し、リード２１を使って音を出す。入手口４０，４１は、独立発泡ＥＰＤＭ等でできているため伸縮自在である。従って密閉可能な状態で、演奏者が右手と左手を入れて直接楽器のキイを操作できる。
【００１８】
右シェル４には下方位置に電子モジュール３５が備えられ、この電子モジュール３５にイヤホンを接続することで、筐体３の内部の音をマイクでピックアップし、演奏者に返還出力できるようになっている。また、電子モジュール３５に残響回路や外部入出力機構を付加すれば、カラオケ演奏やモニタリングなども可能となり、演奏する楽しさが増加する。
【００１９】
この実施の形態の木管楽器用消音器１は、テナーサクソフォン用消音器として実施した場合を示しており、この場合、木管楽器用消音器１の高さＨは、例えば７２０ｍｍ、幅Ｗは３２０ｍｍである。
【００２０】
このように、筐体３は楽器２を包むように長く延び、筐体３の長手方向の一方側にリード２３を取り出すためのリード取出部１３を備え、そして、一方の入手口４１と他方の入手口４０とを筐体３の長手方向に分けて左右に配置している。筐体３はリード取出部１３と反対側に離間して入手口４０が配置される部分に対向する部分が、平坦面５ａであり、この平坦面５ａの上側にはリード取出部１３に向かって連続した凸面５ｂを有する。
【００２１】
また、筐体３はリード取出部１３と反対側に離間して入手口４０が配置される部分が、凸面４ａであり、この凸面４ａの上側にはリード取出部１３に向かって連続した緩やかに傾斜する傾斜面４ｂを有する。
【００２２】
次に、この木管楽器用消音器１を用いて演奏の練習を行う場合について説明する。演奏者は、楽器２を筐体３の内部空間に保持した状態で、右シェル４の入手口４１から左手を入れ、左シェル５の入手口４０から右手を入れる。そして、右利きの演奏者は、筐体３をやや斜めにして左シェル５の平坦面５ａを右の足８１の膝の上にあてがい、右手と左手で楽器２のキイを操作し、リード２１を使って音を出す。
【００２３】
このようにして演奏者は演奏するが、この筐体３の左シェル５は、右の足８１の膝の上にあてがう部分が平坦面５ａであるから、演奏時の鉛直方向Ｌ１に対して、リード取出部１３と平坦面５ａが右の足８１の膝の上に接する点Ｏを結ぶ線Ｌ２の角度θが小さくなり、筐体３が斜めになることを軽減できる。したがって、練習の演奏の楽器の姿勢を実際の演奏の楽器の姿勢に近づけることができ、演奏者に実際の演奏の場合と練習の演奏の場合とで違和感を与えることを抑えることが可能になる。
【００２４】
また、筐体３の左シェル５は、右の足８１の膝の上にあてがう部分が平坦面５ａであるから、演奏の練習を行う際に筐体３をやや斜めにして右の足８１の膝の上にあてがって、右手と左手で楽器２のキイを操作しても筐体３の姿勢が安定する。
【００２５】
また、リード取出部１３と反対側に離間して入手口４０が配置される部分が、凸面４ａであり、この凸面４ａの外周側には入手口４０が設けられ、キイの操作を行う部分である。このため、右シェル４の凸面４ａによって内部空間の容積を確保することができる。
【００２６】
この実施の形態では、左シェル５に平坦面５ａを設け、右シェル４に凸面４ａを設けたが、楽器２によっては左シェル５に凸面を設け、右シェル４に平坦面を設けてもよい。
【産業上の利用可能性】
【００２７】
この発明は、木管楽器用消音器に適用可能であり、演奏者に実際の演奏の場合と練習の演奏の場合とで違和感を与えることを抑え、かつ楽器の姿勢の安定性が向上する。
【図面の簡単な説明】
【００２８】
【図１】木管楽器用消音器の斜視図である。
【図２】木管楽器用消音器の正面図である。
【図３】木管楽器用消音器の背面図である。
【図４】木管楽器用消音器の右側面図である。
【図５】木管楽器用消音器の左側面図である。
【図６】木管楽器用消音器の平面図である。
【図７】木管楽器用消音器の底面図である。
【符号の説明】
【００２９】
１  木管楽器用消音器
２  楽器
３  筐体
４  右シェル
４ａ  凸面
４ｂ  傾斜面
５  左シェル
５ａ  平坦面
５ｂ  凸面
２０  テナーサクソフォン
２１  リード
４０，４１  入手口
【図１】
2008268584.tif 000003
【図２】
2008268584.tif 000004
【図３】
2008268584.tif 000005
【図４】
2008268584.tif 000006
【図５】
2008268584.tif 000007
【図６】
2008268584.tif 000008
【図７】
2008268584.tif 000009
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
木管楽器のリードを取り出すためのリード取出部が設けられ、前記リードを使って音を出す木管楽器の音孔を内包する筐体を有し、この筐体は前記リード取出部を上方にして縦に置いた状態で開口部で左右に開閉可能であり、演奏時に演奏者が前記筐体の外側から演奏者が右手と左手を入れて前記木管楽器のキイを操作できる入手口が、演奏状態で前記筐体の上方位置と、下方位置に配置される木管楽器用消音器であり、
前記筐体は、着座演奏時に筐体下部側面が演奏者の膝に当接する大きさに延びる形状とし、
前記下方位置の入手口が配置される部分に対向する部分を、着座演奏時に演奏者の膝に当接する平坦面に形成し、
前記平坦面の上側には、前記リード取出部に向かって連続した凸面を形成し、
前記凸面に、前記上方位置の入手口が配置され、
前記凸面と、この凸面に対向する前記開口部により形成される開口面との幅より、
前記平坦面と、この平坦面に対向する前記開口部により形成される開口面との幅を短く形成し、
前記下方位置の入手口が配置される部分は、凸面であることを特徴とする木管楽器用消音器。
【手続補正２】
【補正対象書類名】明細書
【補正対象項目名】０００３
【補正方法】変更
【補正の内容】
【０００３】
ところで、このような木管楽器用消音器を用いて演奏の練習を行う際には、演奏者が着座して筐体の外側から右手と左手を内部に入れ、筐体をやや斜めにして膝の上にあてがい、楽器のキイを操作し、リードを使って音を出すが、木管楽器用消音器を用いないで実際に木管楽器で演奏する場合と比較して筐体を有する分木管楽器の姿勢が異なる。したがって、演奏者に実際の演奏の場合と練習の演奏の場合とで違和感を与えることがある。
【手続補正３】
【補正対象書類名】明細書
【補正対象項目名】０００４
【補正方法】変更
【補正の内容】
【０００４】
また、このような木管楽器用消音器では、着座して演奏する時筐体をやや斜めにして膝にあてがって、演奏者が筐体の内部に右手と左手を入れて木管楽器のキイを操作するから、演奏時に筐体の姿勢が不安定な状態になるため極力動かないように安定させる必要がある。
【手続補正４】
【補正対象書類名】明細書
【補正対象項目名】０００５
【補正方法】変更
【補正の内容】
【０００５】
この発明は、かかる点に鑑みなされたもので、演奏者に実際の演奏の場合と練習の演奏の場合とで違和感を与えることを抑え、かつ木管楽器の姿勢の安定性が向上する木管楽器用消音器の提供である。
【手続補正５】
【補正対象書類名】明細書
【補正対象項目名】０００７
【補正方法】変更
【補正の内容】
【０００７】
請求項１に記載の発明は、木管楽器のリードを取り出すためのリード取出部が設けられ、前記リードを使って音を出す木管楽器の音孔を内包する筐体を有し、この筐体は前記リード取出部を上方にして縦に置いた状態で開口部で左右に開閉可能であり、演奏時に演奏者が前記筐体の外側から演奏者が右手と左手を入れて前記木管楽器のキイを操作できる入手口が、演奏状態で前記筐体の上方位置と、下方位置に配置される木管楽器用消音器であり、
前記筐体は、着座演奏時に筐体下部側面が演奏者の膝に当接する大きさに延びる形状とし、
前記下方位置の入手口が配置される部分に対向する部分を、着座演奏時に演奏者の膝に当接する平坦面に形成し、
前記平坦面の上側には、前記リード取出部に向かって連続した凸面を形成し、
前記凸面に、前記上方位置の入手口が配置され、
前記凸面と、この凸面に対向する前記開口部により形成される開口面との幅より、
前記平坦面と、この平坦面に対向する前記開口部により形成される開口面との幅を短く形成し、
前記下方位置の入手口が配置される部分は、凸面であることを特徴とする木管楽器用消音器である。
【手続補正６】
【補正対象書類名】明細書
【補正対象項目名】０００８
【補正方法】削除
【補正の内容】
【手続補正７】
【補正対象書類名】明細書
【補正対象項目名】００１０
【補正方法】変更
【補正の内容】
【００１０】
請求項１に記載の発明では、着座して練習の演奏を行う時、筐体をやや斜めにして膝にあてがうが、この筐体の膝にあてがう部分が平坦面であり、リード取出部に向かって連続した凸面と、この凸面に対向する開口部により形成される開口面との幅より、平坦面と、この平坦面に対向する開口部により形成される開口面との幅を短く形成したから、筐体が斜めになることを軽減でき、練習の演奏の木管楽器の姿勢を実際の演奏の木管楽器の姿勢に近づけることができ、演奏者に実際の演奏の場合と練習の演奏の場合とで違和感を与えることを抑えることが可能になる。また、筐体の膝にあてがう部分が平坦面であり、平坦面の上側には、リード取出部に向かって連続した凸面を形成し、この凸面に、上方位置の入手口が配置されているから、演奏の練習を行う際には、筐体をやや斜めにして膝にあてがっても筐体の姿勢が安定する。また、下方位置の入手口が配置される部分は、凸面であるから、筐体の内部空間の容積を確保することができる。
【手続補正８】
【補正対象書類名】明細書
【補正対象項目名】００１１
【補正方法】削除
【補正の内容】
【手続補正９】
【補正対象書類名】明細書
【補正対象項目名】００１４
【補正方法】変更
【補正の内容】
【００１４】
木管楽器用消音器１は、木管楽器２の音孔を内包する左右に開閉可能な筐体３を有し、この筐体３は右シェル４と左シェル５により構成されている。右シェル４と左シェル５の開口部の一部には蝶板１０が２個設けられ、また一部にはパッチン錠１１が５個設けられている。さらに、左シェル５の開口部には、前後にストラップリング１２がそれぞれ設けられている。
【手続補正１０】
【補正対象書類名】明細書
【補正対象項目名】００１５
【補正方法】変更
【補正の内容】
【００１５】
右シェル４と左シェル５は木管楽器２を内部空間に保持可能であり、パッチン錠１１を開錠することで蝶板１０を支点にして開くことができ、木管楽器２としてテナーサクソフォン２０を収納して閉じてパッチン錠１１を施錠することで内部空間に保持する。
【手続補正１１】
【補正対象書類名】明細書
【補正対象項目名】００１７
【補正方法】変更
【補正の内容】
【００１７】
筐体３は演奏時の姿勢において鉛直方向において、右シェル４には下方位置に入手口４０を備え、左シェル５には上方位置に入手口４１を備え、筐体３の外側から演奏者が右手と左手を入れて木管楽器２のキイを操作し、リード２１を使って音を出す。入手口４０，入手口４１は、独立発泡ＥＰＤＭ等でできているため伸縮自在である。従って密閉可能な状態で、演奏者が右手と左手を入れて直接木管楽器のキイを操作できる。
【手続補正１２】
【補正対象書類名】明細書
【補正対象項目名】００２０
【補正方法】変更
【補正の内容】
【００２０】
このように、筐体３は木管楽器２を包むように長く延び、筐体３の長手方向の一方側にリード２３を取り出すためのリード取出部１３を備え、そして、一方の入手口４１と他方の入手口４０とを筐体３の長手方向に分けて左右に配置している。筐体３はリード取出部１３と反対側に離間して入手口４０が配置される部分に対向する部分が、平坦面５ａであり、この平坦面５ａの上側にはリード取出部１３に向かって連続した凸面５ｂを有する。
【手続補正１３】
【補正対象書類名】明細書
【補正対象項目名】００２２
【補正方法】変更
【補正の内容】
【００２２】
次に、この木管楽器用消音器１を用いて演奏の練習を行う場合について説明する。演奏者は、木管楽器２を筐体３の内部空間に保持した状態で、左シェル５の入手口４１から左手を入れ、右シェル４の入手口４０から右手を入れる。そして、右利きの演奏者は、筐体３をやや斜めにして左シェル５の平坦面５ａを右の足８１の膝の上にあてがい、右手と左手で木管楽器２のキイを操作し、リード２１を使って音を出す。
【手続補正１４】
【補正対象書類名】明細書
【補正対象項目名】００２４
【補正方法】変更
【補正の内容】
【００２４】
また、筐体３の左シェル５は、右の足８１の膝の上にあてがう部分が平坦面５ａであるから、演奏の練習を行う際に筐体３をやや斜めにして右の足８１の膝の上にあてがって、右手と左手で木管楽器２のキイを操作しても筐体３の姿勢が安定する。
【手続補正１５】
【補正対象書類名】明細書
【補正対象項目名】００２６
【補正方法】変更
【補正の内容】
【００２６】
この実施の形態では、左シェル５に平坦面５ａを設け、右シェル４に凸面４ａを設けたが、木管楽器２によっては左シェル５に凸面を設け、右シェル４に平坦面を設けてもよい。
【手続補正１６】
【補正対象書類名】明細書
【補正対象項目名】００２７
【補正方法】変更
【補正の内容】
【００２７】
この発明は、木管楽器用消音器に適用可能であり、演奏者に実際の演奏の場合と練習の演奏の場合とで違和感を与えることを抑え、かつ木管楽器の姿勢の安定性が向上する。
【手続補正１７】
【補正対象書類名】明細書
【補正対象項目名】００２９
【補正方法】変更
【補正の内容】
【００２９】
１  木管楽器用消音器
２  木管楽器
３  筐体
４  右シェル
４ａ  凸面
４ｂ  傾斜面
５  左シェル
５ａ  平坦面
５ｂ  凸面
２０  テナーサクソフォン
２１  リード
４０  入手口
４１  入手口